(57)【要約】      （修正有）【課題】プレゼンテーション中に、説明資料の表示に重ねて、上書きを簡単に行うことを可能とするものであり、すぐにかつ直感的に利用可能とすべく、コマンド領域に複数のアイコンを設けている。更に、このアイコンに、所望のアプリケーションソフトウエアの機能を割り当て可能とし、通常のペンタブレットとしても利便性を向上させる。【解決手段】上面に平坦部を有する本体と、この平坦部に配置される、位置情報パターンが裏面に設けられた透明な筆記用パターンシートと、前記平坦部に設けられたコマンド領域と、パーソナルコンピュータ上で所望の機能を発揮するために前記コマンド領域に設けられた複数のアイコンと、前記筆記用パターンシートの前面に筆記動作することで、前記位置情報パターンを読み取り、パーソナルコンピュータにその読み取った位置情報を無線出力する電子ペンを有する。【選択図】図１
2012033130.tif 000002
【特許請求の範囲】
【請求項１】
パーソナルコンピュータへの入力装置であって、上面に平坦部を有する本体と、この平坦部に配置される、位置情報パターンが裏面に設けられた透明な筆記用パターンシートと、前記平坦部に設けられたコマンド領域と、前記パーソナルコンピュータ上で所望の機能を発揮するために前記コマンド領域に設けられた複数のアイコンと、前記筆記用パターンシートの前面に筆記動作することで、前記位置情報パターンを読み取り、パーソナルコンピュータにその読み取った位置情報を無線出力する電子ペンを有することを特徴とする電子筆記パッド。
【請求項２】
前記筆記用パターンシートは、前記本体に着脱可能に配置したことを特徴とする請求項１項記載の電子筆記パッド。
【請求項３】
前記複数のアイコンは、パーソナルコンピュータのマウスの右ボタン、左ボタン、及びキャリブレーション用のスイッチを含むことを特徴とする請求項１項記載の電子筆記パッド。
【請求項４】
前記複数のアイコンは、前記筆記用パターンシートの下に配置されたプレゼンテーション用の資料の、前記パーソナルコンピュータに表示された表示面に、書き込みを行うためのツールアイコンを含むことを特徴とする請求項１項記載の電子筆記パッド。
【請求項５】
前記電子ペンによる前記アイコンへのクリック操作と、その後の電子ペンによるゼスチャーによって、情報処理が行われることを特徴とする請求項１項記載の電子筆記パッド。
【請求項６】
前記複数のアイコンには、パーソナルコンピュータの複数のアプリケーションソフトウエアの機能を割り当てることを可能とし、複数のアプリケーションが起動した状態では、アクティブなウィンドウに対応したアプリケーションの機能が、前記アイコンに自動的に設定されることを特徴とする請求項１項記載の電子筆記パッド。
【請求項７】
前記複数のアプリケーションが起動した状態であっても、特定のアプリケーションソフトウエアが起動している場合は、この特定のアプリケーションソフトウエアの機能が、前記アイコンに自動的に設定されることを特徴とする請求項６項記載の電子筆記パッド。
【請求項８】
複数の用紙を収納する収納部を有することを特徴とする請求項１項記載の電子筆記パッド。
【発明の詳細な説明】
【技術分野】
【０００１】本発明は、電子ペンによる筆記情報を処理する装置であって、電子ペンによる筆記動作によって、パーソナルコンピュータなどの外部機器に筆記情報を出力し、また記録することが可能であり、特にプレゼンテーション時の使用に好適な電子筆記パッドに関するものである。
【背景技術】
【０００２】従来、パーソナルコンピュータに筆記情報を出力するペンタブレットが知られている。
これは、ペンタブレットの筆記面とパーソナルコンピュータの表示装置の表示面とを１対１に対応させ、筆記面に電子ペンを走らせることにより、その電子ペンの移動軌跡を演算し、その演算結果をパーソナルコンピュータの表示装置に表示するものである。【０００３】このペンタブレットは、主にイラスト作成や３Ｄモデリングなどを行うためのものであり、タブレットに対応したあらゆるアプリケーションソフトウエアに対応するため、汎用性を重視した構成となっている。
言わば、グラフィック部門の専門家に向けた製品であり、そのため一般的利用者が会社などでのプレゼンテーションに用いることは困難となっている。【０００４】
【特許文献１】特開２００６−３０９３０８号
【特許文献２】特開２００６−０２４０４３号
【発明の開示】
【発明が解決しようとする課題】
【０００５】上記特許文献１では、入力ペンとタブレットとの間における電磁誘導方式によって、入力ペンの位置をタブレットが検出する技術が示されている。また、上記特許文献２では、超音波と赤外線を送信するペンと受信装置を用いて筆記情報を出力する技術が示されている。【０００６】これらの従来技術は、ポインティングデバイスとして用いるものであり、これらの装置自体は単に、２次元上の位置情報を、パーソナルコンピュータに出力するに過ぎない。
したがって、例えば、これらの装置によって、プレゼンテーション中に、その上に注意書きを描きたい場合、絵を描くためのアプリケーソンソフトウエアのツールの使い方の習得が必要となり、このような目的のために、ペンタブレットを簡単には利用できない。
また、特許文献２のように、直接紙に筆記する場合、筆記済みの紙が無駄になってしまうという問題がある。【０００７】本発明は、プレゼンテーション中に、説明資料の表示に重ねて、上書きを簡単に行うことを可能とするものであり、すぐにかつ直感的に利用可能とすべく、コマンド領域に複数のアイコンを設けている。
更に、このアイコンに、所望のアプリケーションソフトウエアの機能を割り当て可能とし、通常のペンタブレットとしても利便性を向上させるものである。
【課題を解決するための手段】
【０００８】上記課題を解決するため、本発明は、請求項１に記載するように、パーソナルコンピュータへの入力装置であって、上面に平坦部を有する本体と、この平坦部に配置される、位置情報パターンが裏面に設けられた透明な筆記用パターンシートと、前記平坦部に設けられたコマンド領域と、前記パーソナルコンピュータ上で所望の機能を発揮するために前記コマンド領域に設けられた複数のアイコンと、前記筆記用パターンシートの前面に筆記動作することで、前記位置情報パターンを読み取り、パーソナルコンピュータにその読み取った位置情報を無線出力する電子ペンを有することを特徴としている。【０００９】また、請求項４に記載するように、前記複数のアイコンは、前記筆記用パターンシートの下に配置されたプレゼンテーション用の資料の、前記パーソナルコンピュータに表示された表示面に、書き込みを行うためのツールアイコンを含むことを特徴としている。
【発明の効果】
【００１０】本発明によれば、プレゼンテーション時において、プレゼンテーション資料上に、直感的に筆記し、或いはプレゼンテーションにおける表示の切替等の動作を容易にすることが可能となる。
また、パーソナルコンピュータやインタラクティブボードの筆記面に対して、電子ペンを用いた筆記動作による電子機器の操作や機能の追加が可能となり、パーソナルコンピュータやインタラクティブボードなどの利便性が向上する。
【発明を実施するための最良の形態】
【００１１】以下、本発明を実施するための最良の形態について、図面を参照して詳細に説明する。
【実施例】
【００１２】以下、図に沿って本発明の一実施例を説明する。
図１は電子筆記パッドをパーソナルコンピュータ（以下パソコンと称する）に無線接続し、更にこのパソコンに接続されたプロジェクタ９によって拡大投影して、当該電子筆記パッドによってプレゼンテーションを行う実施例を示す構成図である。
１は電子筆記パッドである。
２は裏面に絶対位置を算出可能な位置マークが形成され、表面において電子ペン６によって筆記動作を行う筆記用パターンシート、３は前記筆記用パターンシートの上端に接着された金属製サポート、４はパソコン画面に表示された資料に上書き筆記するための特定アプリケーション用の操作ツール等のアイコン５が配置されたコマンド領域、６は前記筆記用パターンシート２に筆記すると共に筆記軌跡を算出し無線出力する電子ペン、７は電子筆記パッド１の平坦部１３と筆記用パターンシート２の間に配置される用紙、８は電子ペン６から制御信号及び筆記データを受信するパソコン、９はパソコン８の画面を拡大投影するプロジェクタである。【００１３】尚、用紙７は、Ａ４サイズの用紙に説明内容が印刷されたプレゼンテーション資料であるが、用紙を用いないでプレゼンテーションを進行する場合は、不要となる。【００１４】筆記用パターンシート２の裏面には、例えば特許第３８８１３６５号に示されるような位置パターンが、赤外線吸収型インクで形成されている。
通常のこのような印刷パターンは、紙の表面に設けられているが、黒板のような、書き込みと消去を繰り返すような媒体では、印刷パターンはすぐにパターンが磨り減ってしまい利用できない。【００１５】このため、本発明では、筆記用の透明なシートの裏面に、インクを用いて位置情報パターン２０が印刷形成されている。
特に、筆記用パターンシート２の裏面に位置情報パターン２０を形成することによって、電子ペン６による筆記動作によって位置情報パターン２０が磨耗することがなくなる。【００１６】この電子筆記パッド１は、プレゼンテーションを行う人、及び説明を受ける人共に使用する。
プレゼンテーションを行う人は、この電子筆記パッド１に、電子ペン６で指示することにより、レーザーポインターで指示することなく、見て欲しい場所をポインティングしながら説明し、また強調表示を行う。
更に表示する資料の切替えや、表示の拡大、縮小などの操作を行う。
プレゼンテーションを受ける人は、この電子筆記パッド１を用いることで、説明資料に、電子的に文字や強調線等の筆記を行ったり、所定の箇所の説明を求めるため、その箇所をポインティングする。
したがって、プレゼンテーションに当たって、レーザーポインターを使用する必要はなくなる。【００１７】図２に電子ペン６の構成を示す概念図を示す。
電子ペン６は、樹脂性のペン先を有するスタイラス６０と、赤外線撮像装置６１、赤外線ＬＥＤ６２及び、前記赤外線撮像装置６１で検出された位置情報パターンから筆記軌跡を算出する演算装置６３、メモリ６４、無線通信装置６５、バッテリ６６、及び位置情報の読取り動作のオン、オフを行うスイッチ６７を内蔵している。
尚、キャップ６９を電子ペン６にかぶせている場合にオフ状態となり、キャップ６９を外すことでオン状態となる。
スタイラス６０は、電子ペン６の本体に、着脱可能に配置される。
したがって、黒色、赤色、緑色、或いは青色の筆記具等、実際にインクによって筆記したい色の筆記具を、電子ペン６に装着して利用できる。
また、スタイラス６０の挿入される部分の端部には、圧力センサ６８が設けられている。【００１８】筆記の際、筆記用パターンシート２から得る筆記圧を圧力センサ６８で検出すると、赤外線ＬＥＤ６２と赤外線撮像装置６１が６０ヘルツ程度の周期で動作され、パソコン上で、マウスクリック、マウスドラックに対応した動作が開始される。
この筆記動作により、順次筆記位置データが検出され、その筆記軌跡データがメモリ６４に記録される。
尚、圧力センサ６８で検出される圧力が一定値以下の場合は、５ヘルツ程度で動作され、パソコン画面上のカーソルが、電子ペンの移動に対応して、ホバーモードで単に移動する。【００１９】この電子ペン６のスタイラス６０によって、筆記用パターンシート２の表面に文字などが筆記されると、赤外線撮像装置６１によって、筆記用パターンシート２の裏面に形成された位置情報パターン２０が連続的に読み取られる。
この場合、筆記動作（ゼスチャー）によって、文字認識を行うことも可能であり、また位置情報に応じた種々の制御が可能となる。
例えば、所定のゼスチャーが読取られたら、プリンタを動作されるとか、翻訳ソフトウエアを駆動して、筆記データを翻訳するなどの動作を行わせることができる。【００２０】これらの、文字認識ソフトや、翻訳ソフト、或いは計算処理ソフト、画像処理ソフトといったアプリケーションソフトウエアが、図示しないフラッシュメモリ内に記録されている。
尚、本電子ペン６は、演算装置６３、メモリ６４、及び赤外線撮像装置６１と赤外線ＬＥＤ６２とからなる入力部を有しており、小型のコンピュータとしての機能を全て有しているため、アプリケーションソフトウエアは随時インストール可能である。
したがって、電子ペン６にアプリケーションソフトウエアがインストールされている限り、パソコン８にはインストールされていない機能であっても実行が可能である。【００２１】図３に、電子筆記パッド１の概要を示す概念図を示す。
電子筆記パッド１には、筆記用パターンシート２を配置するため、上面から、筆記用パターンシート２の略厚さ分下げられた配置部を有する。
また、この配置部の上端には、筆記用パターンシート２を固定するためのサポート用磁石１０が３つ設けられている。
筆記用パターンシート２の上端には、上記サポート用磁石１０で保持固定するための金属製サポート３が設けられている。
電子筆記パッド１には、用紙７を配置するための平坦部１３を、上記配置部からもう１段下げて設けられている。  この平坦部１３は、Ａ４サイズの用紙が配置されるように、Ａ４サイズより若干大きめに設けられている。
この平坦部１３には、例えば、Ａ４用紙に印刷されたプレゼンテーション用の資料が配置される。【００２２】複数のアイコン５が１列に印刷されたコマンド領域４が、上記平坦部１３の上端、及び右端に隣接して設けられている。
アイコン５としては、上述の特定アプリケーションソフト用のツールアイコンの他、プレゼンテーション時の資料送り用アイコン、レーザーポインターのポインティングマークを表示するためのアイコン、マウス左クリック、右クリック動作を行うためのアイコン、表示資料の拡大、縮小、及び回転動作を行うためのアイコン、筆記の保存、印刷のためのアイコン、種々のアプリケーションソフトウエアを立ち上げるための起動アイコンなどが設けられている。
更に、プレゼンテーション資料を挟み込んだ状態で使用する場合には、この資料の位置とパソコン８上の表示画像との対応を取り、資料を挟まずに使用する場合は、本電子筆記パッド１の筆記面とパソコン８の表示面との対応を取るためのキャリブレーション用アイコンが設けられている。【００２３】これらのアイコン５を電子ペン６でクリックすると、電子ペン６では、そのアイコン５の位置情報を、筆記用パターンシート２のパターンにより読み取って、パソコン８に無線送信する。
パソコン８では、この電子ペン６からのアイコン５検出信号に応じて、所望の動作が行われる。【００２４】これらのアイコン５は、予め特定のアプリケーションソフトウエアの操作を行うためのものが含まれるが、これらのアイコン５には、その他複数のアプリケーションソフトウエアの機能を割り当てることも可能である。
複数のアプリケーションが起動した状態の場合は、その内のアクティブなウィンドウのアプリケーションの機能が選択、設定される。
例えば、表計算ソフトとプレゼンテーション用ソフト、ワードプロセッサ等のアプリケーションが起動された状態で、アクティブなウィンドウが、表計算ソフトのウィンドウである場合は、アイコン５には、この表計算ソフトの機能が割り当てられる。その後、プレゼンテーションソフトのウィンドウをクリックしてアクティブにした場合は、このプレゼンテーションソフトの機能が、自動的にアイコン５に割り当てられる。【００２５】尚、特定のアプリケーションソフトウエアが、その他のアプリケーションソフトウエアと同時に起動している場合は、どのウィンドウがアクティブか否かに関わらず、特定のアプリケーションソフトウエアの機能が優先して、アイコン５に割り当てられる。
これは、特定のアプリケーションソフトウエアを用いている場合は、プレゼンテーションにおいて、その表示画面上に追記することを目的としていることが伺われるからである。
例えば、何らかの理由で、特定のアプリケーションのウィンドウ以外がアクティブにされてしまったような場合、筆記しようとしても、筆記できない状態が発生し、使用者に混乱が生じる可能性がある。
このため、特定のアプリケーションは、その他のアプリケーションに優先され、どのウィンドウがアクティブかに関わらず、アイコン５の操作は、特定のアプリケーションの操作とされる。【００２６】また、画面の拡大、縮小、回転等のアイコンが設けられているため、このアイコン５を電子ペン６でクリックした後、筆記用パターンシート２面上で、電子ペン６を縦方向、或いは横方向に移動するゼスチャーを行うことで、拡大、縮小、或いは回転などの動作が確実に行われる。【００２７】尚、筆記用パターンシート２は、サポート用磁石１０によって保持固定されているため、着脱可能であり、もし、筆記用パターンシート２が破損した場合は、この筆記用パターンシート２のみ交換するだけでよい。
また、筆記用パターンシート２を持ち上げて、用紙７を配置しやすくするため、筆記用パターンシート２の下端には突出部１４を設け、電子筆記パッド１にはこの突出部１４を持ち上げやすくするための切り込み部１５を設けている。【００２８】従来、絶対位置情報を電子ペンで読み取って、筆記を記録するシステムでは、絶対位置パターンが印刷された専用紙を用いる必要があるため、他の読取方式に比べ不便であったが、本発明のような透明な筆記用パターンシート２を用いることで、専用紙を用いることは不要となり、利便性が向上した。【００２９】また、他の読取方式によるタブレットでは、パッド及び電子ペン双方に電子部品を必要とするが、本発明の方式では、電子筆記パッド１には電子部品や電源コードが一切不要であり、パッドの軽量化、簡略化が可能であると共に、製造コストの低減が図れる。【００３０】本発明は、上述の実施例に限定されるものではなく、例えば、電子ペン６の筆圧を圧力センサ６８でリニアに検出してもよい。
この場合は、筆記圧力に応じて、筆記軌跡データの太さを変更することが可能となる。【００３１】また、電子ペン内に加速度センサを設け、例えば、電子ペン６を振る動作によって、周辺機器の操作を行っても良い。
例えば、電子ペン６を１度振ると、１ページ前の記録された筆記面データが表示され、電子ペン６を複数回振ると、その振った数分前のページの記録された筆記面データが表示されるようにしてもよい。【００３２】更に、図４に示すように、電子筆記パッド１に、資料収納部１１を設けてもよい。
また、図５に示すように、電子筆記パッド１の平坦部１３に、罫線１２を設けてもよい。
用紙７を挟み込むことなく電子筆記パッド１を用いる場合、縦、横の罫線がガイドラインとして働き、筆記が容易となる。  尚、このときは、パソコン８の画面、更にプロジェクタ９による投影画像上に、この罫線１２を半透明な色の画像として表示することで、表示面と電子筆記パッド１の筆記面との対応が取りやすくなる。
【産業上の利用可能性】
【００３３】本発明は、プレゼンテーションに、電子ペンと電子筆記パッドを用いることが容易となる。
また、絶対位置読み取り方式の電子ペンを用いるにも関わらず、専用用紙を不要とし、新規な筆記システムを構築することが可能となる。
【図面の簡単な説明】
【００３４】
【図１】図１は、本発明の実施例の形態に係る主要な構成を示す構成図である。
【図２】図２は、本発明の実施例の電子ペン及び筆記用シート、及び用紙に係る構成図である。
【図３】図３は、本発明の実施例のパッドに係る構成図である。
【図４】図４は、本発明の第２の実施例のパッドに係る構成図である。
【図５】図５は、本発明の第３の実施例のパッドに係る構成図である。
【符号の説明】
【００３５】１：電子筆記パッド本体
２：筆記用パターンシート
４：コマンド領域
５：アイコン
６：電子ペン
７：用紙
２０：位置情報パターン
【図１】
2012033130.tif 000003
【図２】
2012033130.tif 000004
【図３】
2012033130.tif 000005
【図４】
2012033130.tif 000006
【図５】
2012033130.tif 000007